(57)【要約】【課題】大型化を防止しつつ、複数の導光レンズを照射体として機能させる。【解決手段】光を照射する灯具１は、光源１２と、光源１２から出射された光を内部に伝わらせることで照射体として機能する複数の照射用導光レンズ２，３と、光源１２と照射用導光レンズ２，３との間に配設され、光源１２から出射される光を分割して複数の照射用導光レンズ２，３にそれぞれ入射させる配光用導光レンズ４と、を備える。【選択図】図２
2014157692.tif 000002
【特許請求の範囲】
【請求項１】
光を照射する灯具において、
光源と、
前記光源から出射された光を内部に伝わらせることで照射体として機能する複数の照射用導光レンズと、
前記光源と前記照射用導光レンズとの間に配設され、前記光源から出射される光を分割して前記複数の照射用導光レンズにそれぞれ入射させる配光用導光レンズと、
を備えることを特徴とする灯具。
【請求項２】
請求項１に記載の灯具において、
前記配光用導光レンズは、
前記光源から出射される光を平行光にしつつ、当該配光用導光レンズ内に入射させる入射面と、
前記入射面の対向部分に設けられ、前記入射面から当該配光用導光レンズ内に入射した光を、複数の方向へ分割しつつ内部反射させる複数の分割反射面と、
前記複数の分割反射面で複数の方向へ分割された光を出射させて前記複数の照射用導光レンズにそれぞれ入射させる複数の出射面と、
を有することを特徴とする灯具。
【請求項３】
請求項１または２に記載の灯具において、
前記光源を複数備え、
前記配光用導光レンズは、
前記複数の光源から出射される光をそれぞれ分割して前記複数の照射用導光レンズにそれぞれ入射させることを特徴とする灯具。
【発明の詳細な説明】
【技術分野】
【０００１】
本発明は、灯具に関する。
【背景技術】
【０００２】
従来、車両などの灯具には、例えば図５に示すような導光レンズ１００が用いられている。このような導光レンズ１００では、光源１０１から出射された光を入射面１０２から入射させて内部に伝わらせることで、導光レンズ１００自身が照射体として機能するようになっている（例えば特許文献１，２参照）。
【先行技術文献】
【特許文献】
【０００３】
【特許文献１】特開２０１０‐２２５３８８号公報
【特許文献２】特許第４４５８３５９号
【発明の概要】
【発明が解決しようとする課題】
【０００４】
しかしながら、導光レンズ１００を照射体として機能させる従来の灯具では、１つの導光レンズ１００が少なくとも１つの光源１０１を使用するため、導光レンズ１００の個数に応じて部品点数が多くなり、灯具が大型化してしまう。
【０００５】
本発明は、上記課題を解決するためになされたもので、大型化を防止しつつ、複数の導光レンズを照射体として機能させることのできる灯具の提供を目的とする。
【課題を解決するための手段】
【０００６】
上記課題を解決するために、請求項１に記載の発明は、光を照射する灯具において、
光源と、
前記光源から出射された光を内部に伝わらせることで照射体として機能する複数の照射用導光レンズと、
前記光源と前記照射用導光レンズとの間に配設され、前記光源から出射される光を分割して前記複数の照射用導光レンズにそれぞれ入射させる配光用導光レンズと、
を備えることを特徴とする。
【０００７】
請求項２に記載の発明は、請求項１に記載の灯具において、
前記配光用導光レンズは、
前記光源から出射される光を平行光にしつつ、当該配光用導光レンズ内に入射させる入射面と、
前記入射面の対向部分に設けられ、前記入射面から当該配光用導光レンズ内に入射した光を、複数の方向へ分割しつつ内部反射させる複数の分割反射面と、
前記複数の分割反射面で複数の方向へ分割された光を出射させて前記複数の照射用導光レンズにそれぞれ入射させる複数の出射面と、
を有することを特徴とする。
【０００８】
請求項３に記載の発明は、請求項１または２に記載の灯具において、
前記光源を複数備え、
前記配光用導光レンズは、
前記複数の光源から出射される光をそれぞれ分割して前記複数の照射用導光レンズにそれぞれ入射させることを特徴とする。 
【発明の効果】
【０００９】
請求項１に記載の発明によれば、照射体として機能する複数の照射用導光レンズと、光源との間に配光用導光レンズが配設され、光源から出射される光を分割して複数の照射用導光レンズにそれぞれ入射させるので、複数の照射用導光レンズを１つの光源で照射させることができる。従って、大型化を防止しつつ、複数の照射用導光レンズを照射体として機能させることができる。
【図面の簡単な説明】
【００１０】
【図１】灯具を示す正面図である。
【図２】灯具の内部構成を示す図であり、（ａ）は正面図、（ｂ）は斜視図である。
【図３】灯具の断面図である。
【図４】配光用導光レンズの出射面と、照射用導光レンズの入射面との位置関係を示す図である。
【図５】従来の灯具を示す正面図である。
【発明を実施するための形態】
【００１１】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。また、以下の説明において、「上」、「下」、「前」、「後」、「左」、「右」は、それぞれ、車両用灯具が装備された車両の「上」、「下」、「前」、「後」、「左」、「右」である。従って、後ろから前に見て（いわゆる運転手の視点で見て）、左右の向きを定める。
【００１２】
＜灯具の構成＞
図１は、本実施形態における車両用の灯具１を示す正面図である。
この図に示すように、灯具１は、アウターレンズ１０の後方（内側）に２つの照射用導光レンズ２，３を備えている。
【００１３】
照射用導光レンズ２は、図２に示すように、正面視において右上がりの略弧状に形成されており、下方に突出した２つの突出部２１，２２を下端部に有している。
【００１４】
これら突出部２１，２２は、図２、図３に示すように、左右に並ぶよう配設されており、後面に入射面２１０，２２０を、前面に反射面２１１，２２１を有している。
【００１５】
このうち、入射面２１０，２２０は、後述の光源１２，１３からの光を入射させる面である。
また、反射面２１１，２２１は、入射面２１０，２２０から当該照射用導光レンズ２に入射した光を、照射用導光レンズ２の上部に向けて内部反射させる面である。
【００１６】
以上の照射用導光レンズ２は、入射面２１０，２２０から入射した光を内部に伝わらせることで、照射体として機能するようになっている。
【００１７】
照射用導光レンズ３は、図２に示すように、正面視において略環状に形成されており、下方に突出した２つの突出部３１，３２を下端部に有している。
【００１８】
これら突出部３１，３２は、図２、図３に示すように、左右に並ぶよう配設されており、前面に入射面３１０，３２０を、後面に反射面３１１，３２１を有している。
【００１９】
このうち、入射面３１０，３２０は、後述の光源１２，１３からの光を入射させる面である。
また、反射面３１１，３２１は、入射面３１０，３２０から当該照射用導光レンズ３に入射した光を、照射用導光レンズ３の上部に向けて内部反射させる面である。
【００２０】
以上の照射用導光レンズ３は、入射面３１０，３２０から入射した光を内部に伝わらせることで、照射体として機能するようになっている。
【００２１】
これらの照射用導光レンズ２，３は、前後方向に隣り合うように近接して配設されており、より具体的には、入射面２１０と入射面３１０とが前後方向に沿って対向し、かつ、入射面２２０と入射面３２０とが前後方向に沿って対向するように配設されている。
【００２２】
そして、これらの入射面２１０，２２０と、入射面３１０，３２０との間には、配光用導光レンズ４が配設されており、配光用導光レンズ４の下方には、光源１２，１３が配設されている。
【００２３】
このうち、光源１２，１３は、上方に向いた状態で、左右方向に隣り合うよう配設されている。
【００２４】
配光用導光レンズ４は、光源１２，１３から出射される光を分割して照射用導光レンズ２，３にそれぞれ入射させるレンズであり、光源１２，１３からの光の光路上において、光源１２，１３と照射用導光レンズ２，３との間に配設された状態となっている。
【００２５】
この配光用導光レンズ４は、左右方向に長尺に形成されており、２つの入射面４０と、４つの分割反射面４１と、４つの出射面４３とを備えている。
【００２６】
２つの入射面４０は、図３に示すように、光源１２，１３から出射される光を、当該光源１２，１３の光軸Ａｘの方向（以下、光軸方向とする。本実施の形態においては上下方向）の平行光にしつつ、当該配光用導光レンズ４内に入射させる面であり、配光用導光レンズ４の下面から下方に膨出した形状となっている。これら２つの入射面４０のうち、一方の入射面４０（以下、入射面４０Ａとも称する）は光源１２に対向して設けられており、他方の入射面４０（以下、入射面４０Ｂとも称する）は光源１３に対向して設けられている。
【００２７】
４つの分割反射面４１は、図２、図３に示すように、入射面４０から当該配光用導光レンズ４内に入射した光を、複数の方向へ分割しつつ内部反射させる面である。
【００２８】
ここで、本実施の形態においては、４つの分割反射面４１のうち、２つの分割反射面４１（以下、分割反射面４１Ａ，４１Ｂとも称する）は配光用導光レンズ４の上面のうち、入射面４０Ａの対向部分（つまり光源１２の対向部分）に設けられている。これら分割反射面４１Ａ，４１Ｂは、光源１２の光軸Ａｘを含み前後方向に直交する平面を境界面として対をなして形成されている。より具体的には、分割反射面４１Ａ，４１Ｂは、上述の境界面に対し４５度の角度で前後方向の両側へ個別に傾斜し、境界面から前後方向へ離れるにつれて上方に位置するよう形成されている。これにより、各分割反射面４１Ａ，４１Ｂは、入射面４０Ａから入射した光を前後２つの方向に分割しつつ内部反射させるようになっており、より具体的には、入射面４０Ａから入射した光の一部を分割反射面４１Ａが前方に内部反射させ、入射面４０Ａから入射した光の他の一部を分割反射面４１Ｂが後方に内部反射させるようになっている。
【００２９】
また、４つの分割反射面４１のうち、他の２つの分割反射面４１（以下、分割反射面４１Ｃ，４１Ｄとも称する）は配光用導光レンズ４の上面のうち、入射面４０Ｂの対向部分（つまり光源１３の対向部分）に設けられている。これら分割反射面４１Ｃ，４１Ｄは、光源１３の光軸Ａｘを含み前後方向に直交する平面を境界面として対をなして形成されている。より具体的には、分割反射面４１Ｃ，４１Ｄは、上述の境界面に対し４５度の角度で前後方向の両側へ個別に傾斜し、境界面から前後方向へ離れるにつれて上方に位置するよう形成されている。これにより、各分割反射面４１Ｃ，４１Ｄは、入射面４０Ｂから入射した光を前後２つの方向に分割しつつ内部反射させるようになっており、より具体的には、入射面４０Ｂから入射した光の一部を分割反射面４１Ｃが前方に内部反射させ、入射面４０Ｂから入射した光の他の一部を分割反射面４１Ｄが後方に内部反射させるようになっている。
【００３０】
４つの出射面４３は、４つの分割反射面４１で複数の方向へ分割された光を配光用導光レンズ４の外部へ出射させて照射用導光レンズ２，３にそれぞれ入射させる面であり、本実施の形態においては、分割反射面４１による内部反射の方向（前後方向）に直交する平面となっている。ここで、本実施の形態においては、４つの出射面４３のうち、１つの出射面４３（以下、出射面４３Ａとも称する）は配光用導光レンズ４の前面のうち、分割反射面４１Ａの前方に位置する部分に設けられており、分割反射面４１Ａで前方に内部反射された光を出射させ、照射用導光レンズ２の入射面２１０に入射させるようになっている。また、４つの出射面４３のうち、他の１つの出射面４３（以下、出射面４３Ｂとも称する）は配光用導光レンズ４の後面のうち、分割反射面４１Ｂの後方に位置する部分に設けられており、分割反射面４１Ｂで後方に内部反射された光を出射させ、照射用導光レンズ３の入射面３１０に入射させるようになっている。また、４つの出射面４３のうち、他の１つの出射面４３（以下、出射面４３Ｃとも称する）は配光用導光レンズ４の前面のうち、分割反射面４１Ｃの前方に位置する部分に設けられており、分割反射面４１Ｃで前方に内部反射された光を出射させ、照射用導光レンズ２の入射面２２０に入射させるようになっている。また、４つの出射面４３のうち、他の１つの出射面４３（以下、出射面４３Ｄとも称する）は配光用導光レンズ４の後面のうち、分割反射面４１Ｄの後方に位置する部分に設けられており、分割反射面４１Ｄで後方に内部反射された光を出射させ、照射用導光レンズ３の入射面３２０に入射させるようになっている。
【００３１】
＜作用・効果＞
続いて、灯具１の作用効果について説明する。
【００３２】
まず、光源１２（または光源１３）が点灯すると、その光が入射面４０Ａ（または入射面４０Ｂ）から配光用導光レンズ４内に入射する。このとき、光源１２（または光源１３）からの光は、光軸方向（上下方向）に略沿った平行光とされる。
【００３３】
次に、配光用導光レンズ４内に入射した光は、一対の分割反射面４１Ａ，４１Ｂ（または分割反射面４１Ｃ、４１Ｄ）によって、前後方向の両側へ分割されて出射面４３Ａ，４３Ｂ（または出射面４３Ｃ，４３Ｄ）に入射するように内部反射される。
【００３４】
次に、分割反射面４１Ａ，４１Ｂ（または分割反射面４１Ｃ，４１Ｄ）によって内部反射された光は、出射面４３Ａ，４３Ｂ（または出射面４３Ｃ，４３Ｄ）から出射され、入射面２１０（または入射面２２０）から照射用導光レンズ２に入射するとともに、入射面３１０（または入射面３２０）から照射用導光レンズ３に入射する。
【００３５】
そして、入射面２１０（または入射面２２０）から照射用導光レンズ２に入射した光が反射面２１１（または反射面２２１）で内部反射されて照射用導光レンズ２の内部に伝わる結果、照射用導光レンズ２が照射体として機能する。同様に、入射面３１０（または入射面３２０）から照射用導光レンズ３に入射した光が反射面３１１（または反射面３２１）で内部反射されて照射用導光レンズ３の内部に伝わる結果、照射用導光レンズ３が照射体として機能する。なお、光源１２（または光源１３）から出射された光が照射用導光レンズ２，３の左側部分（または右側部分）を照射体として機能させることとしても良いし、照射用導光レンズ２，３の全体を照射体として機能させることとしても良い。後者の場合には、光源１２，１３の何れか一方が点灯するときと、両方が点灯するときとで段階的に照射用導光レンズ２，３の明るさが変更される。
【００３６】
以上のように、灯具１によれば、照射体として機能する２つの照射用導光レンズ２，３と、光源１２（または光源１３）との間に配光用導光レンズ４が配設され、光源１２（または光源１３）から出射される光を分割して照射用導光レンズ２，３にそれぞれ入射させるので、２つの照射用導光レンズ２，３を１つの光源１２（または光源１３）で照射させることができる。従って、大型化を防止しつつ、２つの照射用導光レンズ２，３を照射体として機能させることができる。
【００３７】
なお、本発明は上記実施形態に限定して解釈されるべきではなく、適宜変更・改良が可能であることはもちろんである。
【００３８】
例えば、上記の実施形態においては、図４（ａ）に示すように、分割反射面４１による内部反射の方向（前後方向）に直交するよう出射面４３が設けられることとして説明したが、図４（ｂ）に示すように、内部反射の方向に交差するよう出射面４３が設けられることとしても良い。更に、図４（ｃ）に示すように、内部反射の方向に交差するよう、配光用導光レンズ４の両端にそれぞれ複数の出射面４３が設けられることとしても良い。ここで、図４（ｂ）、（ｃ）の場合には、照射用導光レンズ２（または照射用導光レンズ３）の入射面２１０，２２０（または入射面３１０，３２０）を配光用導光レンズ４の中心軸に対しオフセットして配設することができる。更に、図４（ｃ）の場合には、１つの光源１２から出射され２つの分割反射面４１で内部反射された光を２つの照射用導光レンズ２、３の４つの入射面２１０，２２０，３１０，３２０（或いは３つ以上の照射用導光レンズにおける４つの入射面）にそれぞれ入射させることができる。
【００３９】
また、分割反射面４１で内部反射された光を出射面４３から出射させることとして説明したが、分割反射面４１で内部反射された光を配光用導光レンズ４における他の反射面で更に内部反射させた後、出射面４３から出射させることとしても良い。
【符号の説明】
【００４０】
１                    灯具
２，３                照射用導光レンズ
４                    配光用導光レンズ
４０，４０Ａ，４０Ｂ  入射面
４１，４１Ａ〜４１Ｄ  分割反射面
４３，４３Ａ〜４３Ｄ  出射面
【図１】
2014157692.tif 000003
【図２】
2014157692.tif 000004
【図３】
2014157692.tif 000005
【図４】
2014157692.tif 000006
【図５】
2014157692.tif 000007